(57)【要約】【課題】各物件毎にその中で重要度の高い信号を地図表示画面上で視覚的に確認でき、何らかの異常があった場合に迅速に対応する。【解決手段】監視センタに設置されたサーバ３１は、物件データベース４３ａと地図データベース４３ｃを用いて、指定地域の地図に各物件のマークを付してオペレータの端末装置に表示する。ここで、各物件のエレベータから発報された信号を受信すると、サーバ３１は重要度テーブル４２ｂを参照して当該信号の重要度を判別し、その判別結果に基づいて物件マークを識別表示すると共に、複数台のエレベータを有する物件に関しては、その中の最も重要度の高い信号を優先して当該物件マークを識別表示する。【選択図】      図４
2009107814.tif 000002
【特許請求の範囲】
【請求項１】
各地域に点在する各物件の昇降機の動作状態を通信ネットワークを介して遠隔監視する昇降機の遠隔監視システムにおいて、
上記各物件に関する情報を記憶した物件データベースと、
上記各地域の地図情報を記憶した地図データベースと、
上記物件データベースから指定地域の地図を検索すると共に、上記指定地域に存在する物件の位置を上記物件データベースから検索するデータベース検索手段と、
このデータベース検索手段によって得られた上記指定地域の地図上に物件マークを付して所定の端末装置に表示する地図表示手段と、
上記各物件の昇降機から発報される各種信号に対する重要度を定義付けた重要度テーブルと、
上記各物件の昇降機から上記通信ネットワークを介して信号を受けた際に、上記重要度テーブルを参照して当該信号の重要度を判別する重要度判別手段と、
この重要度判別手段によって判別された重要度に基づいて上記物件マークを識別表示すると共に、複数台の昇降機を有する物件に関しては、その中の最も重要度の高い信号を優先して当該物件マークを識別表示する識別表示手段と
を具備したことを特徴とする昇降機の遠隔監視システム。
【請求項２】
上記識別表示手段は、上記重要度判別手段によって判別された重要度に基づいて上記物件マークの表示色を変えて識別表示することを特徴とする請求項１記載の昇降機の遠隔監視システム。
【請求項３】
上記識別表示手段は、複数台の昇降機を有する物件に関しては、その中の最も重要度の高い信号を優先し、その信号の重要度に対応した表示色を当該物件マークの代表色として識別表示することを特徴とする請求項２記載の昇降機の遠隔監視システム。
【請求項４】
上記重要度テーブルには、少なくとも３段階の重要度レベルが設定されており、
最も重要度の高い第１の重要度レベルは、昇降機が動かない、あるいは、昇降機を動かしてはいけない状態、
次に重要度の高い第２の重要度レベルは、昇降機を運転できる故障、
最も重要度の低い第３の重要度レベルは、昇降機の運転が復帰した状態を示すことを特徴とする請求項１記載の昇降機の遠隔監視システム。
【請求項５】
上記第１の重要度レベルに対応する信号として、保守員の出動を要する事故に関する信号、
上記第２の重要度レベルに対応した信号として、定期点検時に確認を要し、保守員の出動を伴わない事故に関する信号、
上記第３の重要度レベルに対応した信号として、故障全般の復帰に関する信号が設定されていることを特徴とする請求項４記載の昇降機の遠隔監視システム。
【発明の詳細な説明】
【技術分野】
【０００１】
本発明は、各物件のエレベータやエスカレータなどの昇降機の動作状態を遠隔監視するための昇降機の遠隔監視システムに関する。
【背景技術】
【０００２】
各物件のエレベータは、通信ネットワークを介して監視センタに接続されている。監視センタには、多数のオペレータが就役している。各オペレータは、それぞれに監視卓と呼ばれる端末装置の画面を通じて各物件のエレベータの動作状態を遠隔監視している。
【０００３】
ここで、エレベータの遠隔監視システムとして、上記端末装置の画面に各地域の地図を表示すると共に、その地図上に各物件（建物）位置や保守員の位置を合わせて表示する技術がある（例えば、特許文献１，２参照）。
【０００４】
このような地図表示画面では、各物件のエレベータから異常信号が発報されると、地図上の該当する物件のマークが例えば赤色に変化して警告される。これにより、オペレータは、異常発生した物件を把握して、その物件に最も近くにいる保守員を派遣するなどして対処できる。
【特許文献１】特開２００４−１５７４０８号公報
【特許文献２】特開２００４−１１０１１７号公報
【発明の開示】
【発明が解決しようとする課題】
【０００５】
しかしながら、上述した地図表示画面上での警告表示は、通常、各物件毎に信号の発報順に行われる。この場合、１つの物件に複数台のエレベータが設置されていると、これらのエレベータの中で最新に発報された信号しか警告表示に反映されない。
【０００６】
このため、複数台のエレベータを有する物件では、その中で異常が発生しているエレベータの事実を見逃す可能性があり、その対応にも遅れが生じてしまうなどの問題があった。
【０００７】
本発明は上記のような点に鑑みなされたもので、各物件毎にその中で重要度の高い信号を地図表示画面上で視覚的に確認でき、何らかの異常があった場合に迅速に対応することのできる昇降機の遠隔監視システムを提供することを目的とする。
【課題を解決するための手段】
【０００８】
本発明に係る昇降機の遠隔監視システムは、各地域に点在する各物件の昇降機の動作状態を通信ネットワークを介して遠隔監視する昇降機の遠隔監視システムにおいて、上記各物件に関する情報を記憶した物件データベースと、上記各地域の地図情報を記憶した地図データベースと、上記物件データベースから指定地域の地図を検索すると共に、上記指定地域に存在する物件の位置を上記物件データベースから検索するデータベース検索手段と、このデータベース検索手段によって得られた上記指定地域の地図上に物件マークを付して所定の端末装置に表示する地図表示手段と、上記各物件の昇降機から発報される各種信号に対する重要度を定義付けた重要度テーブルと、上記各物件の昇降機から上記通信ネットワークを介して信号を受けた際に、上記重要度テーブルを参照して当該信号の重要度を判別する重要度判別手段と、この重要度判別手段によって判別された重要度に基づいて上記物件マークを識別表示すると共に、複数台の昇降機を有する物件に関しては、その中の最も重要度の高い信号を優先して当該物件マークを識別表示する識別表示手段とを具備して構成される。
【発明の効果】
【０００９】
本発明によれば、各物件毎にその中で重要度の高い信号を地図表示画面上で視覚的に確認でき、何らかの異常があった場合に迅速に対応することができる。
【発明を実施するための最良の形態】
【００１０】
以下、図面を参照して本発明の実施形態を説明する。
【００１１】
図１は本発明の一実施形態に係る昇降機としてエレベータを例にした場合の遠隔監視システムの構成を示す図である。図中の１１ａ，１１ｂ，１１ｃ…は、顧客の物件（建物）を示している。
【００１２】
これらの物件１１ａ，１１ｂ，１１ｃ…は、それぞれにエレベータ（ＥＬ）１２ａ，１２ｂ，１２ｃ…が設置されている。なお、物件によって、エレベータの設置台数が異なる。つまり、１台のエレベータしか設置されていない物件や、多数のエレベータが設置されていない物件が混在する。
【００１３】
エレベータ１２ａ，１２ｂ，１２ｃ…は、公衆回線等の通信ネットワーク１３を介して監視センタ１４に接続されている。監視センタ１４では、各エレベータ１２ａ，１２ｂ，１２ｃ…から発報される信号を受信して、これらの動作状態を常時監視している。
【００１４】
ここで、エレベータ１２ａを代表として、図２にその構成を示す。
【００１５】
エレベータ１２ａは、巻上機２１と、この巻上機２１に巻き掛けられたロープ２２と、そのロープ２２の一端に取り付けられた乗りかご２３と、他端に取り付けられたカウンタウェイト２４とを備える。巻上機２１は、物件（建物）１１ａの機械室などに設置されている。この巻上機２１の回転駆動により、ロープ２２を介して乗りかご２３とカウンタウェイト２４が昇降路内をつるべ式に移動する。
【００１６】
制御装置２５は、ＣＰＵ、ＲＯＭ、ＲＡＭなどを搭載したコンピュータからなり、巻上機２１の駆動制御などを含むエレベータ全体の制御を行う。また、この制御装置２１は通信機能を備えており、上記通信ネットワーク１３を介して監視センタ１４との間でデータの送受信を行う。
【００１７】
次に、本実施形態における監視センタ１４の構成について詳しく説明する。  
図３は監視センタ１４の構成を示すブロック図である。
【００１８】
監視センタ１４には、サーバ３１と、ＰＣ（Personal Computer）３２ａ，３２ｂ，３２ｃ…が設置されている。
【００１９】
サーバ３１は、監視センタ１４の制御装置として存在する。ＰＣ３２ａ，３２ｂ，３２ｃ…は、このサーバ３１にＬＡＮ（Local Area Network）等の通信回線３３を介して接続されている。このＰＣ３２ａ，３２ｂ，３２ｃ…は、各オペレータが監視卓として使用する端末装置であり、様々な機能を備えている。
【００２０】
図４は監視センタ１４に設置されたサーバ３１の構成を示すブロック図である。
【００２１】
サーバ３１は、制御部４１、記憶部４２、各種データベース４３、通信部４４、インタフェース（Ｉ／Ｆ）４５を備えている。
【００２２】
制御部４１は、ＣＰＵからなり、記憶部４２に記憶されたプログラム４２ａを読み込むことにより各種処理を実行する。また、この制御部４１には、本システムを実現するための機能部として、データベース検索部４１ａ、地図表示部４１ｂ、重要度判別部４１ｃ、識別表示部４１ｄが設けられている。
【００２３】
データベース検索部４１ａは、各種データベース４３に含まれる物件データベース４３ａから指定地域の地図を検索すると共に、上記指定地域に存在する物件１１ａ，１１ｂ，１１ｃ…の位置を地図データベース４３ｃから検索する。
【００２４】
地図表示部４１ｂは、このデータベース検索部４１ａによって得られた上記指定地域の地図上に物件マークを付して、各オペレータの端末装置であるＰＣ３２ａ，３２ｂ，３２ｃ…に表示する。
【００２５】
重要度判別部４１ｃは、各物件１１ａ，１１ｂ，１１ｃ…のエレベータ１２ａ，１２ｂ，１２ｃ…から通信ネットワーク１３を介して信号を受けた際に、記憶部４２に設けられた重要度テーブル４２ｂを参照して当該信号の重要度を判別する。
【００２６】
識別表示部４１ｄは、この重要度判別部４１ｃによって判別された重要度に基づいて物件マークを識別表示すると共に、複数台のエレベータを有する物件に関しては、その中の最も重要度の高い信号を優先して当該物件マークを識別表示する。
【００２７】
記憶部４２は、ＲＯＭ、ＲＡＭなどのメモリからなり、プログラム４２ａの他、制御部４１の処理に必要な各種データを記憶している。また、この記憶部４２には、エレベータの各種信号と重要度のレベルとを関連付けた重要度テーブル４２ｂが設けられている。
【００２８】
図５に重要度テーブル４２ｂの一例を示す。
【００２９】
この重要度テーブル４２ｂには、各物件のエレベータから発報される各種信号に対する重要度と物件マークの識別表示に関する情報が設定されている。図５の例では、重要度レベルがＬ３〜Ｌ１の３段階に設定されている。「レベルＬ３」の重要度が最も高く、続いて「レベルＬ２」，「レベルＬ１」の順となる。また、「レベルＬ３」では「赤色」、「レベルＬ２」では「黄色」、「レベルＬ１」では「青色」といった表示色が物件マークの識別表示として設定されている。
【００３０】
・「レベルＬ３」  
最も重要度の高い「レベルＬ３」は、エレベータが動かない、あるいは、エレベータを動かしてはいけない状態である。この「レベルＬ３」に対応する信号として、保守員の出動を要する事故に関する信号が設定されている。具体的には、閉じ込め信号、起動不能信号、停電信号などがある。
【００３１】
閉じ込め信号は、乗りかご２３内に利用者が閉じ込められていることを示す信号である。起動不能信号は、エレベータが完全停止し、起動不能な状態を示す信号である。停電信号は、乗りかご２３内の照明機器が停電していることを示す信号である。
【００３２】
・「レベルＬ２」  
次に重要度の高い「レベルＬ２」は、エレベータを運転できる故障である。この「レベルＬ２」に対応する信号としては、定期点検時に確認を要し、保守員の出動を伴わない事故に関する信号が設定されている。具体的には、換気扇異常信号、地震管制運転信号、ドア繰り返し信号、端末システム異常信号、ロープ伸び検出信号などがある。
【００３３】
換気扇異常信号は、乗りかご２３に設置された換気扇の異常を示す信号である。地震管制運転信号は、地震が発生したときに乗りかご２３を最寄階まで移動させるための信号である。ドア繰り返し信号は、乗りかご２３のドアが正常に戸閉せずに何度も戸閉動作を繰り返している状態を示す信号である。端末システム異常信号は、乗りかご２３に設置された端末システムの異常を示す信号である。ロープ伸び検出信号は、乗りかご２３を支えているロープ２２の張力が低下したことを示す信号である。
【００３４】
・「レベルＬ１」  
最も重要度の低い「レベルＬ１」は、エレベータの運転が復帰した状態である。この「レベルＬ１」に対応する信号として、故障全般の復帰に関する信号が設定されている。具体的には、起動復帰信号、停電復帰信号、地震管制運転完了信号などがある。
【００３５】
起動復帰信号は、エレベータの運転が復帰したことを示す信号である。停電復帰信号は、乗りかご２３内の照明機器の停電が復帰したことを示す信号である。地震管制運転完了信号は、地震管制運転によって乗りかご２３を最寄階まで正常に移動したことを示す信号である。
【００３６】
上述した各レベルＬ３〜Ｌ１の信号は、各物件１１ａ，１１ｂ，１１ｃ…に設置されたエレベータ１２ａ，１２ｂ，１２ｃ…の制御装置２５から出力され、通信ネットワーク１３を介して監視センタ１４のサーバ３１に与えられる。
【００３７】
また、サーバ３１に設けられた各種データベース４３には、物件データベース（物件ＤＢ）４３ａ、保守員データベース（保守員ＤＢ）４３ｂ、地図データベース（地図ＤＢ）４３ｃなどが含まれる。なお、これらのデータベース４３ａ〜４３ｃは、実際には記憶部４２などに設けられる。
【００３８】
物件データベース４３ａは、各物件１１ａ，１１ｂ，１１ｃ…に関する情報を記憶している。具体的には、図６に示すように、各物件の識別番号（物件ＩＤ）、物件名、住所、その物件に設置されているエレベータの台数や号機の情報などを記憶している。
【００３９】
保守員データベース４３ｂは、各保守員に関する情報を記憶している。具体的には、図７に示すように、各保守員の識別番号（保守員ＩＤ）、氏名、所属、その保守員が所持している端末装置（携帯電話機等）の情報、そして、担当エリアの情報などを記憶している。
【００４０】
地図データベース４３ｃは、各地域の地図情報（画像情報）を記憶している。具体的には、図８に示すように、縮尺率に応じて複数の地図情報が分類して記憶されている。この場合、地図の縮尺率が高いほど広域を表わし、縮尺率が低いほど狭域を表わすことになる。
【００４１】
また、サーバ３１に設けられた通信部４４は、各物件１１ａ，１１ｂ，１１ｃ…に設置されたエレベータ１２ａ，１２ｂ，１２ｃ…との間で通信ネットワーク１３を介してデータの送受信を行う。インタフェース４５は、サーバ３１に接続されたＰＣ３２ａ，３２ｂ，３２ｃ…との間のデータの入出力処理を行う。
【００４２】
図９は監視センタ１８に設置されたオペレータのＰＣ３２ａの構成を示すブロック図である。なお、他のＰＣ３２ｂ，３２ｃ…についても同様の構成である。
【００４３】
ＰＣ３２ａは、制御部５１、記憶部５２、インタフェース（Ｉ／Ｆ）５３、入力部５４、表示部５５を備えている。
【００４４】
制御部５１は、ＣＰＵからなり、記憶部５２に記憶されたプログラム５２ａを読み込むことにより各種処理を実行する。記憶部５２は、ＲＯＭ、ＲＡＭなどのメモリからなり、プログラム５２ａの他、制御部５１の処理に必要な各種データを記憶している。インタフェース５３は、サーバ３１との間のデータの入出力処理を行う。
【００４５】
入力部５４は、例えばキーボード、マウスなどの入力デバイスからなり、オペレータがデータやコマンドの入力操作や画面上での選択操作を行う場合に用いられる。表示部５５は、例えばＣＲＴ（Cathode-ray tube）やＬＣＤ（Liquid Crystal Display）等の表示デバイスからなり、各種データの表示を行う。
【００４６】
次に、本システムの動作について説明する。  
図１０は監視センタ１４内のサーバ３１によって実行される地図表示処理の流れを示すフローチャートである。なお、このフローチャートで示される処理は、サーバ３１に設けられた制御部４１が記憶部４２に記憶されたプログラム４２ａを読み込むことにより実行される。
【００４７】
今、監視センタ１４のオペレータがＰＣ３２ａを操作して、ある地域の地図を表示する場合を想定する。
【００４８】
ＰＣ３２ａから地図表示要求があると、サーバ３１は、まず、オペレータが所定の操作によって指定した地域の地図を地図データベース４３ｃから検索すると共に（ステップＳ１１）、上記指定地域に存在する物件の位置を物件データベース４３ａから検索する（ステップＳ１２）。
【００４９】
該当する物件があると、サーバ３１は、その物件の位置情報（住所）に基づいて、上記地図データベース４３ｃから読み出した地図上に物件マークを付してオペレータのＰＣ３２ａ（詳しくは、ＰＣ３２ａの表示部５５）に表示する（ステップＳ１３）。
【００５０】
図１１にオペレータのＰＣ３２ａに表示される地図表示画面６１の一例を示す。  
図中の６２は指定地域の地図である。また、６３ａ〜６３ｅは物件マーク、６４はスケーラ、６５は物件マーク説明欄である。６６は縮尺率表示部である。なお、起動時には所定の縮尺率の地図が表示される。スケーラ６４をスライド操作することにより、地図の縮尺率を任意に変えることができる。
【００５１】
この地図表示画面６１において、地図６２上の各物件の位置に直方体形状の物件マーク６３ａ〜６３ｅが所定のサイズで表示される。この物件マーク６３ａ〜６３ｅは、監視対象とする物件の位置とエレベータの状態を表している。なお、複数台のエレベータが設置された物件については、その台数分の物件マークが重ねて表示される。
【００５２】
ここで、各物件に設置されたエレベータから動作状態を示す信号が発報されたとする。サーバ３１は、通信部４４にて信号を受信すると（ステップＳ１４）、記憶部４２に設けられた重要度テーブル４２ｂを参照し、その信号に対する重要度を判定する（ステップＳ１５）。
【００５３】
この場合、図５に示すように、エレベータから発報された信号が閉じ込め信号、起動不能信号、停電信号などであれば、重要度が最も高い「レベルＬ３」と判定される。また、換気扇異常信号、地震管制運転信号、ドア繰り返し信号、端末システム異常信号、ロープ伸び検出信号などであれば、重要度が中程度の「レベルＬ２」と判定される。起動復帰信号、停電復帰信号、地震管制運転完了信号などであれば、重要度が最も低い「レベルＬ１」と判定される。
【００５４】
このようにして、信号の重要度が判定されると、サーバ３１は、その判定結果に基づいて地図６２上の各物件マーク６３ａ〜６３ｅを識別表示する（ステップＳ１６）。具体的には、重要度テーブル４２ｂに設定された表示色の情報を参照して、「レベルＬ３」の信号は「赤色」、「レベルＬ２」の信号は「黄色」、「レベルＬ１」の信号は「青色」といったように、信号の重要度に応じて各物件マーク６３ａ〜６３ｅを色分け表示する。
【００５５】
その際、複数台のエレベータを有する物件に関しては（ステップＳ１７のＹｅｓ）、その中で最も重要度の高い信号を優先して当該物件マークを識別表示するものとする（ステップＳ１８）。具体的には、重要度が最も高い信号のレベルの色を当該物件の代表色としてマーク最上部に表示する。
【００５６】
例えば、２台のエレベータを有する物件があり、そのうちの１台の信号が「レベルＬ３」、他の１台の信号が「レベルＬ２」であった場合には、「レベルＬ３」を示す「赤色」を代表色として当該物件マークの最上部に表示する（図１１の物件マーク６３ｂ参照）。
【００５７】
また、２台のエレベータのうちの１台の信号「レベルＬ２」、他の１台の信号が「レベルＬ１」であった場合には、「レベルＬ２」を示す「黄色」を代表色として当該物件マークの最上部に表示する（図１１の物件マーク６３ｃ参照）。
【００５８】
このような物件マーク６３ａ〜６３ｅの識別表示により、単に地図上で各物件の位置を確認するだけでなく、何らかの信号が発報された場合に、その重要度を一目で把握できる。これにより、地震等が発生した場合に、その地域に存在する各物件の状態を把握し、「レベルＬ３」の物件に対しては、保守員を派遣するなどの対応を迅速に行うことができる。
【００５９】
さらに、１つの物件に複数台のエレベータが設置されている場合には、その中で重要度が最も高い信号を発しているエレベータの状態が優先的に表示される。したがって、地図上に複数の物件が密集していて、各物件について１つの物件マークしか視認できない場合であっても、各物件について異常発生している事実を見逃すことなく、適切に対処することができる。
【００６０】
なお、上記実施形態では、物件マーク６３ａ〜６３ｅの表示色を変えることで識別したしたが、例えばマークの形状を変えるなどして識別することでも良い。
【００６１】
また、物件マーク６３ａ〜６３ｅの形状は、直方体に限らず、例えば矩形や円形などであっても良く、地図上で他の記号類と混同しない形であれば、どのような形状であっても良い。
【００６２】
また、上述した地図表示に関する一連の処理を監視センタ１４内のサーバ３１が行う構成としたが、各オペレータのＰＣ３２ａ，３２ｂ，３２ｃ…が行うことでも良い。
【００６３】
また、例えば保守員の持つ端末装置にＧＰＳ（global positioning system）受信機能を搭載しておき、その端末装置から発信される位置情報をサーバ３１で受信する構成としても良い。このような構成とすれば、地図画面上に保守員の位置をリアルタイムで表示することができる。さらに、異常が発生した際に、該当する物件の近くにいる保守員を自動検出し、保守員データベース４３ｂを参照して当該保守員の所持する端末装置（携帯電話等）に出動命令を出すことなども可能となる。
【００６４】
また、上記実施形態では、監視対象としてエレベータを例にして説明したが、例えばエスカレータなどの他の昇降機の遠隔監視を行う場合にも同様に適用可能である。
【００６５】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００６６】
【図１】図１は本発明の一実施形態に係る昇降機としてエレベータを例にした場合の遠隔監視システムの構成を示す図である。
【図２】図２は同実施形態におけるエレベータの構成を示す図である。
【図３】図３は同実施形態における監視センタの構成を示すブロック図である。
【図４】図４は同実施形態における監視センタに設置されたサーバの構成を示すブロック図である。
【図５】図５は同実施形態におけるサーバに設けられた重要度テーブルの一例を示す図である。
【図６】図６は同実施形態におけるサーバに設けられた物件データベースの一例を示す図である。
【図７】図７は同実施形態におけるサーバに設けられた保守員データベースの一例を示す図である。
【図８】図８は同実施形態におけるサーバに設けられた地図データベースの地図情報の構成を説明するための図である。
【図９】図９は同実施形態における監視センタに設置されたＰＣの構成を示すブロック図である。
【図１０】図１０は同実施形態における監視センタ内のサーバによって実行される地図表示処理の流れを示すフローチャートである。
【図１１】図１１は同実施形態における監視センタの地図表示画面の一例を示す図である。
【符号の説明】
【００６７】
１１ａ，１１ｂ，１１ｃ…物件、１２ａ，１２ｂ，１２ｃ…エレベータ、１３…通信ネットワーク、１４…監視センタ、２１…巻上機、２２…ロープ、２３…乗りかご、２４…カウンタウェイト、２５…制御装置、３１…サーバ、３２ａ，３２ｂ，３２ｃ…ＰＣ、３３…通信回線、４１…制御部、４１ａ…データベース検索部、４１ｂ…地図表示部、４１ｃ…重要度判別部、４１ｄ…識別表示部、４２…記憶部、４２ａ…プログラム、４２ｂ…重要度テーブル、４３…各種データベース、４３ａ…物件データベース、４３ｂ…保守員データベース、４３ｃ…地図データベース、４４…通信部、４５…インタフェース、５１…制御部、５２…記憶部、５２ａ…プログラム、５３…インタフェース、５４…入力部、５５…表示部、６１…地図表示画面、６２…地図、６３ａ〜６３ｅ…物件マーク、６４…スケーラ、６５…物件マーク説明欄、６６…縮尺率表示部。
【図１】
2009107814.tif 000003
【図２】
2009107814.tif 000004
【図３】
2009107814.tif 000005
【図４】
2009107814.tif 000006
【図５】
2009107814.tif 000007
【図６】
2009107814.tif 000008
【図７】
2009107814.tif 000009
【図８】
2009107814.tif 000010
【図９】
2009107814.tif 000011
【図１０】
2009107814.tif 000012
【図１１】
2009107814.tif 000013